(57)【要約】      （修正有）【課題】足蒸れを防ぐため靴底に貫通孔を設けて通気性を良くした靴を雨天時に履くと、貫通孔から水が浸入してしまうので、この貫通孔からの水の浸入を防止することが出来る靴を提供する。【解決手段】カップインソール（ＣＩ）を用い、その裏面を軟質部材により構成して、靴底に設けた貫通孔を密閉可能の防水構造とし、雨天時には，これを靴内に挿入して履用する。このようにしておくと、歩行時に歩行者の体重により軟質部材が貫通孔に密接してこれを閉塞するので、浸水を防ぐことができる。【選択図】図１
0003110435.tif 000002
【実用新案登録請求の範囲】
【請求項１】
靴底に貫通孔を設け、靴内部に該貫通孔を閉塞する防水構造を持つカップインソールを装着したことを特徴とする靴。
【請求項２】
請求項１記載の靴において、カップインソールの下面が軟質部材から成り、該カップインソールが、前記靴底の貫通孔の位置に対応した通気孔が設けられた中底の上に重ねられ装着された靴。
【請求項３】
請求項２記載の中底において、靴底の貫通孔の位置に対応して設けられた通気孔に網材が張設され，この通気孔の内側周囲に平面部よりやや高い枠部材が設けられている靴。
【請求項４】
請求項１ないし３記載のカップインソールにおいて、その土踏まず部に人体の土踏まずの窪みを埋めるように作用する盛上がり部を設けた靴。
【請求項５】
請求項１ないし４記載のカップインソールにおいて、土踏まず部の周囲から踵部の周囲にかけて、立上げ部を設けた靴。
【考案の詳細な説明】
【技術分野】
【０００１】
本考案は、足蒸れを防ぐため靴底に貫通孔を設けて通気性を良くした靴を雨天時に履く場合，貫通孔からの水の浸入を防ぐことができるようにした靴に関する。
【背景技術】
【０００２】
靴を履いて長時間歩いていると、当然のことながら靴内の足は汗をかき、蒸れたり，悪臭が靴内に蓄積されてきたりする。特にウォーキングシューズの場合は顕著である。そこで、これを防止する手段として、ウォーキングシューズの甲被に通気孔を設け、この通気孔をメッシュ状の不織布等で覆い、美観を考慮したタイプのウォーキングシューズが存在している。
【０００３】
しかしながら、甲被に通気孔を設ける場合，通気孔が大きいと美感の面から好ましくなく、従って、通気孔の大きさの制約上、通気性を十分に確保することが出来ない。また、ウォーキングシューズを通勤や営業活動時に用いようとする場合，甲被に通気孔が穿設されたタイプのものでは、散歩気分で不真面目と誤解されるおそれがある。
【０００４】
このような不都合（通気性が不十分，甲被に通気孔の穿設）を解消する靴として、靴底に貫通孔を設けたタイプのものも提案されている（例えば、特許文献１，特許文献２参照）。このように靴底に貫通孔を設けると、孔の合計面積を大きくすることができるので、通気性を十分確保でき、また、通気孔は靴底に設けられているため、貫通孔は外部から見られることがなく、一般の靴と同じ外観を呈している。
【特許文献１】実開平１−１４３９０４号公報
【特許文献２】特開２００２−０００３０３号公報
【考案の開示】
【考案が解決しようとする課題】
【０００５】
しかしながら、貫通孔を靴底に設けた靴は、晴天時に履く場合には問題は無いが、雨天時に履くと、靴底の貫通孔から水が浸入するという欠点がある。
【０００６】
本考案は上記の問題を解決すべくなされたもので、靴底に貫通孔を有する靴を雨天時等に履く場合に、前記貫通孔からの水の浸入防止を可能にした靴の提供を目的とする。
【課題を解決するための手段】
【０００７】
この目的を達成するために請求項1記載の考案は、靴底に通気孔を有する靴に装着するカップインソールを用いるものであって、カップインソール（図１のＣＩ）は、前記貫通孔（図３の第１，第２の貫通孔１４１，１４２および図４の第１，第２の貫通孔１２０，１３０）を塞ぐ防水構造（図１，図２の裏面部１０）を備えた構成としてある。
【０００８】
この構成を図示すると、例えば図１〜図４に示すようになる。このようにすれば、カップインソールを靴（シューズＫＷ）に挿入して使用した場合に、歩行者の体重により防水構造体が通気孔を塞ぐので、雨天時に靴を履いて歩行しても、貫通孔から水が浸入するのを防止することができる。
【０００９】
請求項２の考案は、カップインソール下面の防水構造体が軟質部材から成るものであるため、中底の通気口を隙間無く閉塞することが出来る。
【００１０】
請求項３記載の考案は、靴底（図５の１１０）の上に置かれ、前記貫通孔（第１，第２の貫通孔枠部材１２０，１３０）の位置に対応した通気孔（図３の第１，第２の通気孔１４１，１４２）を有する中底（図３の３０）を使用するもので、通気孔にはメッシュが張られており、その内側周囲には該中底の平面部よりやや高い枠部材（図３の第１，第２の３１，３２）を具えている。
【００１１】
この構成を図示すると、例えば図３に示すようになる。このため、この中底の上に、カップインソールを置くと、貫通孔から入ってくるゴミもある程度防ぐことができ、中底３０の第１，第２の枠部材３１，３２とカップインソールＣＩの裏面の軟質部材が、歩行者の体重により押圧され密接して貫通孔を塞ぐので、雨天時に靴を履いて歩行しても、貫通孔から水が浸入するのを防止することができる。
【００１２】
請求項４記載の考案は、カップインソールにおいて、前記カップインソールの土踏まず部に、人体の土踏まずの凹みを埋めるように作用する盛上がり部（図１，図２の２２ｂ）を備えた構成としてある。この構成を図示すると、例えば図１，図２（Ａ），（Ｂ）に示すようになる。このようにすれば、盛上がり部が人体の土踏まずの窪みに当接し、爪先部も土踏まず部もそれぞれの貫通孔の箇所に対してほぼ均等に押圧力を加えるので、貫通孔をより効率よく塞ぐことが可能となる。
【００１３】
請求項５記載の考案は、カップインソールにおいて、土踏まず部の周囲から踵部の周囲にかけて、挿入した足側に向けて立上げ部（図１，図２の２３）を形成した構成としてある。この構成を図示すると、例えば図１，図２（Ａ），（Ｂ）に示すようになる。このように土踏まず部の周囲から踵部の周囲にかけて立上げ部を設けたので、万一貫通孔からシューズＫＷ内に水が浸入した場合でも、土踏まず部や踵部への浸入を防止することができる。
【考案の効果】
【００１４】
請求項１記載の考案によれば、カップインソールを靴に挿入して使用し、歩行者の体重により防水構造が通気孔を塞ぐので、雨天時に靴を履いて歩行しても、通気孔から水が浸入するのを防止することができる。
【００１５】
請求項２記載の考案によれば、カップインソールを靴に装着したとき、中底の枠部材とカップインソール裏面の軟質部材が、歩行者の体重により押圧され密着して通気孔を塞ぐので、通気孔からの水の浸入を完全に防止することができる。
【００１６】
請求項３記載の考案によれば、中底の通気口に張設した網材により貫通孔から浸入してくるゴミをある程度防ぐことができ、また、平面部よりやや高い枠部材の存在により、カップインソール裏面の軟質部材との密着がより強固となる。
【００１７】
請求項４記載の考案によれば、盛上がり部が土踏まず部の凹みに当接し、爪先部も土踏まず部も通気孔の箇所に対してほぼ均等に押圧力を加えるので、貫通孔をより効率よく塞ぐことが可能となる。
【００１８】
請求項５記載の考案によれば、土踏まず部の周囲から踵部の周囲にかけて立上げ部を設けたので、万一，貫通孔から靴内に水が浸入した場合でも、土踏まず部や踵部への浸入を防止できる。
【考案を実施するための最良の形態】
【００１９】
以下、本考案をウォーキングシューズに適用した場合の実施形態に基づいて説明する。
図１は、本実施形態のカップインソールを、靴底に貫通孔を有するウォーキングシューズに挿入する概念図である。
図２は、本実施形態のカップインソールを示す図であって、（Ａ）は平面図、（Ｂ）は側面図、（Ｃ）は爪先部の拡大断面図である。
【００２０】
図３は、本実施形態に使用する中底を示す図であって、（Ａ）はIII−III線に沿う断面図、（Ｂ）は平面図である。
図４は、ウォーキングシューズ内に中底を敷いた状態を示す図であって、（Ａ）は側面図、（Ｂ）は底面図、（Ｃ）はＩＶ−ＩＶ線に沿う断面図である。
【００２１】
図５は、ウォーキングシューズの靴底の表面図である。
図６は、ウォーキングシューズに設けられた第１の貫通孔枠部材を示す図であって、（Ａ）は平面図、（Ｂ）はVI−VIに線に沿う断面図である。
図７は、ウォーキングシューズに設けられた第２の貫通孔枠部材を示す図であって、（Ａ）は平面図、（Ｂ）はVII−VIIに線に沿う断面図である。
図８は、ウォーキングシューズに敷く中底の平面図である。
【００２２】
先ず、図１，図４〜図８に基づいてウォーキングシューズ（以下、シューズと略記する）を説明する。
図１，図４〜図８に示すように、シューズＫＷは、靴底部１００（図４参照）を構成する靴底１１０と、第１の貫通孔枠部材１２０（図６参照）と、第２の貫通孔枠部材１３０（図７参照）と、中底１４０（図８参照）とを備えて成る。
【００２３】
靴底１１０（図４，図５参照）の材質はＥＶＡ（エチレン酢酸ビニル共重合樹脂）であり、成型加工により形成する。靴底１１０の接地面には、滑り防止用のパターンを設けてある。
踵の部分には第1のゴム部１１０ａを設け、爪先側には第２のゴム部１１０ｂが設けてある。
靴底１１０の土踏まず部には、第１の貫通孔枠部材１２０を嵌め込む第１の嵌込み孔１１１を設け、爪先部には第２の貫通孔枠部材１３０を嵌め込む第２の嵌込み孔１１２を設ける。
【００２４】
前記第１の貫通孔枠部材１２０の材質はＰＶＣ（ポリビニルセルロイド）であり、成型加工により形成する（図６参照）。
第１の貫通孔枠部材１２０の全体形状は略鼓状をなし、略鼓状の内枠部１２０ａと、内枠部１２０ａの外側に形成した外縁部１２０ｂと、通気用のルーバー１２０ｃとからなる。
【００２５】
前記第２の貫通孔枠部材１３０の材質はＰＶＣであり、成型加工により形成する（図７参照）。
第２の貫通孔枠部材１３０の全体形状は略三角形をなし、略三角形の内枠部１３０ａと、内枠部１３０ａの外側に形成した外縁部１３０ｂと、通気用のルーバー１３０ｃとからなる。
【００２６】
以上の構成の靴底１１０の第１の嵌込み孔１１１に対して、第１の貫通孔枠部材１２０を靴底１１０の裏面側から嵌め込み、接着剤により接着する。
次いで、同様に第２の嵌込み孔１１２に対して、第２の貫通孔枠部材１３０を靴底１１０の表面側（足裏側）から嵌め込み、接着剤により接着する。
このように構成することにより、靴底１１０の通気機能を確保する（図４参照）。
【００２７】
次に中底１４０について説明する（図４，図８参照）。
中底１４０は、靴底１１０の外形より一回り小さく、表面側（足裏側）のナイロンとＥＶＡとを貼り合わせたものと裏面側の不織布とを接着して構成してある。
中底１４０の土踏まずの部分であって、前記靴底１１０の第１の嵌込み孔１１１に対応した箇所には、第１の通気孔１４１を形成し、第２の嵌込み孔１１２に対応した箇所には、第２の通気孔１４２を形成する。
【００２８】
そして、第１と第２の通気孔１４１，１４２にそれぞれ対応させて、ナイロン製の第１のメッシュ状の網材１４１ａと第２の網材１４２ａをミシンにより縫い付ける。
このような構成の中底１４０を甲被に縫い付けた後、この甲被を靴底１１０に接着してシューズＫＷが完成する（図１参照）。
【００２９】
なお、前述のシューズＫＷでは通気孔を２個設けた場合を説明したが、１個でもよければ、３個以上にしてもよい。
【００３０】
次に、図１，図２（Ａ）〜（Ｃ），図３（Ａ），（Ｂ）を参照しながら本実施形態のカップインソールＣＩを説明する。
先ず、図３（Ａ），（Ｂ）に基づいて中底３０を説明する。
中底３０の材質・外形寸法・形状および第１，第２の通気孔１４１，１４２の寸法は、前記中底１４０（図８参照）と同一である。
中底３０は２層構造をなし、足裏側がナイロンとＥＶＡとを貼り合わせたもの３３からなり、靴底側が不織布３４からなる。
【００３１】
そして、第１の通気孔１４１の内側周囲には、略鼓状をしたＰＶＣからなる第１の枠部材３１を配置し、枠部材３１の外縁部３１ａを第１の網材１４１ａと共にミシン目により縫いつける。
同様に、第２の通気孔１４２の内側周囲には、略三角形をしたＰＶＣからなる第２の枠部材３２を配置し、枠部材３２の外縁部３２ａを第２の網材１４２ａと共にミシン目により縫い付ける。
【００３２】
また、第１，第２の枠部材３１，３２は、足裏側に僅かに突き出している（図３（Ａ）参照）。
この突出し部に、次に説明するカップインソールＣＩの裏面部１０が押圧密着した場合に、第１，第２の通気孔１４１，１４２がそれぞれ密封され、水の浸入を防止する。
【００３３】
次にカップインソールを説明する。
図１，図２（Ａ）〜（Ｃ）に示すように、カップインソールＣＩは、足型をした靴底側の裏面部１０と、略足型をした足裏側の表面部２０とからなる。
【００３４】
裏面部１０はゴム又は合成樹脂等の軟質部材から成り、前記中底３０（図３参照）より一回り小さい足型形状をなしている。そして、前述のように爪先に力が加わった場合に中底３０の第２の枠部材３２の突出し部に密着し、第２の通気孔１４２（図３参照）からの水の浸入を防止する。
同様に、土踏まず部に力が加わった場合に中底３０の第１の枠部材３１の突出し部に密着し、第１の通気孔１４１（図３参照）からの水の浸入を防止する。
【００３５】
表面部２０は２層をなしており、裏面部１０側は柔らかいゴム又は合成樹脂からなる裏皮部２１であり、足側はナイロンメッシュからなる表皮部２５である。裏皮部２１と表皮部２５の外形は、次に説明するように同一形状をなしている。
【００３６】
カップインソールＣＩは、足の形状をした足型部２２と、足型部２２の踵部と土踏まず部の周囲に形成した立上げ部２３とからなる。
足型部２２は、踵側に設けた第１の盛上がり部２２ａと、土踏まず部に設けた第２の盛上がり部２２ｂとを備えてなる。これらの第１，第２の盛上がり部２２ａ，２２ｂは、前記裏皮部２１を成型加工する際に盛り上げて形成する。
【００３７】
第１の盛上がり部２２ａは、楕円形をしており、踵側に力が加わった場合に裏面部１０と前記第１の枠部材３１（図３参照）との密着性を高め、防水機能を発揮する。
第２の盛上がり部２２ｂは、外形は略鼓状をなしていて、７個の滑らかな山並み形状を設ける。このように山並み形状を設けることにより、人体の土踏まずの凹みに山並みが密着し、土踏まず部に設けた前記第１の枠部材３１の突出し部との密着性を高め、第１の通気孔１４１からの水の浸入を防止する。
【００３８】
前記第２の盛上がり部２２ｂの前端（爪先側）から踵部にかけての周囲に、立上げ部２３を形成する。立上げ部２３の土踏まず部の内側に対応した箇所には、第３の盛上がり部２３ａを設ける。この第３の盛上がり部２３ａも、前記第１，第２の盛上がり部２２ａ，２２ｂと同様に、前記裏皮部２１を成型加工する際に盛り上げて形成する。この第３の盛上がり部２３ａにより、ウォーキングシューズＫＷの土踏まず部の内側と、カップインソールＣＩの土踏まず部の外側との密着性を高める。
【００３９】
次に、以上のように構成したカップインソールＣＩの使用方法を、図１を参照しながら説明する。なお、晴天時にはウォーキングシューズＫＷの第１，第２の貫通孔枠部材１２０，１３０から外気を取り入れるために、カップインソールＣＩは使用しない。
【００４０】
雨天時には、図１に示すように、例えば、右足用のウォーキングシューズＫＷの大きさに適応した右足用のカップインソールＣＩを、立ち上げ部２３を上にして右足用のウォーキングシューズＫＷに挿入する。挿入の際、カップインソールＣＩの爪先先端が、シューズＫＷの爪先先端に到達するように押し込む。同様に、左足用のカップインソールＣＩを、左足用のシューズＫＷに挿入する。
【００４１】
このカップインソールＣＩを挿入した状態で雨の中を歩くと、前述のように、着地した場合には歩行者の体重が爪先および土踏まず部に加わるので、カップインソールＣＩの裏面部１０が第１，第２の枠部材３１，３２に密着し、水の浸入を防止することができる。
【図面の簡単な説明】
【００４２】
【図１】本考案の実施形態のカップインソールを、靴底に通気孔を有するウォーキングシューズに装着する概念図である。
【図２】同実施形態のカップインソールを示す図であって、（Ａ）は平面図、（Ｂ）は側面図、（Ｃ）は爪先部の拡大断面図である。
【図３】同実施形態に使用する中底を示す図であって、（Ａ）はIII−III線に沿う断面図、（Ｂ）は平面図である。
【図４】ウォーキングシューズを示す図であって、（Ａ）は中底および靴底の側面図、（Ｂ）は底面図、（Ｃ）はIV−IV 線に沿う断面図である。
【図５】ウォーキングシューズの靴底の表面図である。
【図６】ウォーキングシューズ用の第１の貫通孔枠部材を示す図であって、（Ａ）は平面図、（Ｂ）はVI−VIに線に沿う断面図である。
【図７】ウォーキングシューズ用の第２の貫通孔枠部材を示す図であって、（Ａ）は平面図、（Ｂ）はVII−VIIに線に沿う断面図である。
【図８】ウォーキングシューズの中底の平面図である。
【符号の説明】
【００４３】
ＫＷ  ウォーキングシューズ（シューズ）
ＣＩ  カップインソール
１０  裏面部
２０  表面部
２１  裏皮部
２２  足型部
２２ａ  第１の盛上がり部
２２ｂ  第２の盛上がり部
２３  立上げ部
２３ａ  第３の盛上がり部
２５  表皮部
３０  中底
３１  第１の通気孔枠部材
３１ａ  外縁部
３２  第２の通気孔枠部材
３２ａ  外縁部
３３  不織布
３４  フェルト
１００  既存靴底部
１１０  靴底
１１０ａ  第1のゴム部
１１０ｂ  第２のゴム部
１１１  第１の嵌込み孔
１１２  第２の嵌込み孔
１２０  第１の貫通孔枠部材
１２０ａ  内枠部
１２０ｂ  外縁部
１２０ｃ  通気用のルーバー
１３０  第２の貫通孔枠部材
１３０ａ  内枠部
１３０ｂ  外縁部
１３０ｃ  通気用のルーバー
１４０  中底
１４１  第１の通気孔
１４１ａ  第１の網材
１４２  第２の通気孔
１４２ａ  第２の網材
【図１】
0003110435.tif 000003
【図２】
0003110435.tif 000004
【図３】
0003110435.tif 000005
【図４】
0003110435.tif 000006
【図５】
0003110435.tif 000007
【図６】
0003110435.tif 000008
【図７】
0003110435.tif 000009
【図８】
0003110435.tif 000010